(57)【特許請求の範囲】
【請求項１】
複数のディスクプレーヤと、複数のディスクが載置され、前記複数のディスクプレーヤの個々のディスクプレーヤに対してそれぞれディスクを取り出して移送させる手段を備え、かつ前記複数のディスクプレーヤで共用されるディスクチェンジャとを有するディスク装置において、
前記ディスクチェンジャ中から取り出されて移送されたディスクの一方のディスクプレーヤによる演奏中に、ディスクの演奏をしていない方のディスクプレーヤへ前記ディスクチェンジャ中から他のディスクを取り出して移送し、前記ディスクの演奏をしていない方のディスクプレーヤによって前記他のディスクのテキストデータを含むＴＯＣ情報を読み込み、該読み込まれたテキストデータを含むＴＯＣ情報を表示手段に前記他のディスクに対応して表示させ、次に演奏する曲の変更を選択的に行い、変更された曲のテキストデータを含むＴＯＣ情報を記憶手段に記憶させると共に、前記表示手段に表示させて次の演奏曲表示とすることを特徴とするディスク装置。
【請求項２】
複数のディスクプレーヤと、複数のディスクが載置され、前記複数のディスクプレーヤの個々のディスクプレーヤに対してそれぞれディスクを取り出して移送させる手段を備え、かつ前記複数のディスクプレーヤで共用されるディスクチェンジャとを有し、プログラム演奏またはランダム演奏が可能なディスク装置において、
プログラム演奏中またはランダム演奏中であって、前記ディスクチェンジャ中から取り出されて移送されたディスクの一方のディスクプレーヤによる演奏中に、ディスクの演奏をしていない方のディスクプレーヤへ前記ディスクチェンジャ中から他のディスクを取り出して移送し、前記ディスクの演奏をしていない方のディスクプレーヤによって前記他のディスクのテキストデータを含むＴＯＣ情報を読み込み、該読み込まれたテキストデータを含むＴＯＣ情報を表示手段に前記他のディスクに対応して表示させ、次に演奏する曲の変更、追加を選択的に行い、変更、追加された曲のテキストデータを含むＴＯＣ情報を記憶手段に記憶させると共に、前記表示手段に表示させて次の演奏曲表示とすることを特徴とするディスク装置。
【発明の詳細な説明】
【発明の属する技術】
【０００１】
本発明はディスク装置に関し、さらに詳細にはトラバースユニットを備えたディスクチェンジャを備えて該ディスクチェンジャから取り出したディスクの連続演秦を行うディスク装置に関する。
【０００２】
【従来の技術】
ディスクチェンジヤを備え、ディスクチェンジャのロ一タリストッカトレイに復数のディスクを予め載置しておいて、ディスクプレーヤで演奏することを希望するディスクを指定し、指定されたディスクをディスクプレーヤに対応させたトラバースユニットによってロ一タリストッカトレイから取り出し、対応するディスクプレーヤの所定位置にまで移送してデイスクプレーヤに装着して演奏させるように構成されているものがある。
【０００３】
しかしながら、上記したようなディスクチェンジャを備えた従来のディスクプレーヤでは、ディスクチェンジャに載置されているディスクのＴＯＣ情報を読み込ませるためには、ディスクチェンジャに載置されている全てのディスクを演奏させて読み込ませるか、またはＴＯＣ情報を読み込ませるモードにしてディスクのＴＯＣ情報を次々に読み込ませるようにし、これら読み込んだＴＯＣ情報を演奏中のディスクに対応して表示器に表示していた。
【０００４】
【発明が解決しようとする課題】
このため、ディスクチェンジャに多数のディスクが挿入されていて、連続演奏をする場合、例えばプログラム（ランダム）演奏では、プログラム（ランダム）演奏中には、次に演奏する曲が判らないため、プログラム（次に演奏する曲）を変更したり、追加することができないという問題点があった。さらに、今演奏しているディスクのディスクに記録されている曲名などの内客を示すＴＥＸＴ（テキストとも記す）を含むデータＴＯＣ情報はわかるが、次に演奏されるディスクのＴＯＣ情報がわからず、予め定められた順で曲の演奏されるのみで、ディスクの演奏中は次の曲を選択できないという問題点があった。
【０００５】
本発明は、プログラム（ランダム）演奏であって、プログラム（ランダム）演奏中でも次に演奏する曲を確認しながら曲の変更、追加ができ、かつディスク演奏中でも他のディスクのＴＥＸＴデータを含むＴＯＣ情報を読み込み、表示させることで、ディスク演奏中でも次に演奏するディスクを選択できるディスク装置を提供することを目的とする。
【０００６】
【課題を解決するための手段】
本発明にかかるディスク装置は、複数のディスクプレーヤと、複数のディスクが載置され、前記複数のディスクプレーヤの個々のディスクプレーヤに対してそれぞれディスクを取り出して移送させる手段を備え、かつ前記複数のディスクプレーヤで共用されるディスクチェンジャとを有するディスク装置において、
前記ディスクチェンジャ中から取り出されて移送されたディスクの一方のディスクプレーヤによる演奏中に、ディスクの演奏をしていない方のディスクプレーヤへ前記ディスクチェンジャ中から他のディスクを取り出して移送し、前記ディスクの演奏をしていない方のディスクプレーヤによって前記他のディスクのテキストデータを含むＴＯＣ情報を読み込み、該読み込まれたテキストデータを含むＴＯＣ情報を表示手段に前記他のディスクに対応して表示させ、次に演奏する曲の変更を選択的に行い、変更された曲のテキストデータを含むＴＯＣ情報を記憶手段に記憶させると共に、前記表示手段に表示させて次の演奏曲表示とすることを特徴とする。
【０００８】
また、本発明にかかるディスク装置は、複数のディスクプレーヤと、複数のディスクが載置され、前記複数のディスクプレーヤの個々のディスクプレーヤに対してそれぞれディスクを取り出して移送させる手段を備え、かつ前記複数のディスクプレーヤで共用されるディスクチェンジャとを有し、プログラム演奏またはランダム演奏が可能なディスク装置において、
プログラム演奏中またはランダム演奏中であって、前記ディスクチェンジャ中から取り出されて移送されたディスクの一方のディスクプレーヤによる演奏中に、ディスクの演奏をしていない方のディスクプレーヤへ前記ディスクチェンジャ中から他のディスクを取り出して移送し、前記ディスクの演奏をしていない方のディスクプレーヤによって前記他のディスクのテキストデータを含むＴＯＣ情報を読み込み、該読み込まれたテキストデータを含むＴＯＣ情報を表示手段に前記他のディスクに対応して表示させ、次に演奏する曲の変更、追加を選択的に行い、変更、追加された曲のテキストデータを含むＴＯＣ情報を記憶手段に記憶させると共に、前記表示手段に表示させて次の演奏曲表示とすることを特徴とする。
【００１０】
本発明にかかるディスク装置によれば、一方のディスクプレーヤによってディスクが演奏されている中に、ディスクチェンジャ中から取り出された他のディスクのＴＥＸＴデータを含むＴＯＣ情報がディスクの演奏をしていない方のディスクプレーヤによって読み込まれるために、ＴＥＸＴデータを含むＴＯＣ情報を読み込んでいるときにもディスクの演秦ができ、次に演奏する曲を選択できる。さらに、ディスクのプログラム演奏においても同様に、プログラム演奏中でも次に演奏される曲の変更、追加ができる。
【００１２】
本発明にかかるディスク装置によれば、プログラム演奏であって一方のディスクプレーヤによってディスクが演奏されている中に、ディスクチェンジャ中から取り出された他のディスクのＴＥＸＴデータを含むＴＯＣ情報がディスクの演奏をしていない方のディスクプレーヤによって読み込まれるために、ＴＥＸＴデータを含むＴＯＣ情報を読み込んでいるときにもディスクの演奏ができ、プログラム演奏中でも次に演奏される曲の変更、追加ができる。
【００１３】
【発明の実施の形態】
以下、本発明にかかるディスク装置を実施の一形態によって説明する。
【００１４】
図１は本発明の実施の一形態にかかるディスク装置の主要部の構成を示すブロック図であり、２つのディスクプレーヤに共用されるディスクチェンジャ部分を例示している。
【００１５】
本発明の実施の一形態にかかるディスク装置に用いられるディスクチェンジヤは、基板１上に円盤状のロータリストッカトレイ２が回転自在に装着してある。一方、ロータリストッカトレイ２を時計方向および反時計方向に回転駆動するロータリストッカトレイモータ４および動力伝達機構５が基板１上に設けてあって、ロータリストッカトレイモータ４の駆動によって動力伝達機構５を介してロータリストッカトレイ２を駆動させるように構成してある。
【００１６】
ロータリストッカトレイ２上には放射状に所定の等角度間隔で図示しない突起部が形成されており、隣合う突起部間に、図２に示すようにロータリストッカトレイ２の回転中心に向かって直立させた状態でディスク３が放射状に載置される。符号６は載置されたディスク３の位置決めのためのストッパである。ディスク３のロータリストットレイ２への挿入載置および取り出しはロータリストッカトレイ２の中心方向へ進退自在に設けられた第１および第２のトラバースユニット７１および７２によって行われるように構成されている。
【００１７】
第１のトラバースユニット７１は図示しない第１のディスクプレーヤに対応させてあリ、トラバースユニット駆動回路７３によって駆動される。第２のトラバースユニット７２は図示しない第２のディスクプレーヤに対応させてあり、トラバースユニット駆動回路７４によって駆動される。
【００１８】
第１のトラバースユニット７１によって図示しない第１のディスクプレーヤから搬送してきたディスク３は第１のトラバースユニット７１の先端に対向するロータリストッカトレイ２の位置に載置される。また第１のトラバースユニット７１の先端に対向するロータリストッカトレイ２の位置に載置されているディスク３が第１のトラバースユニット７１によって取り出されて第１のディスクプレーヤに装着される。本発明の実施の一形態にかかるディスク装置では第１のトラバースユニット７１の先端に対向するロータリストッカトレイ２の位置を第１の基準位置とする。
【００１９】
第２のトラバースユニット７２の場合も同様であって、第２のトラバースユニット７２によって図示しない第２のディスクプレーヤから搬送してきたディスク３は第２のトラバースユニット７２の先端に対向するロータリストッカトレイ２の位置に載置され、また第２のトラバースユニット７２の先端に対向するロータリストッカトレイ２の位置に載置されているディスク３が第２のトラバースユニット７２によって取り出されて第２のディスクプレーヤに装着される。
【００２０】
第１のトラバースユニット７１によるディスク３のロータリストッカトレイ２への挿入載置は、ディスク３をクランプした第１のトラバースユニット７１をロータリストッカトレイ２の中心方向ヘトラバースユニット駆動装置７３によって駆動して挿入し、クランプを解除することによって行われる。また、第１のトラバースユニット７１によるロータリストッカトレイ２からディスク３の取り出しは、第１のトラバースユニット７１をロータリストッカトレイ２の中心方向へトラバースユニット騨動装置７３によって移動させてディスク３をクランプし、クランプした状態で第１のトラバースユニット７１をロータリストットレイ２から離れる方向に駆動することによって行われ、ディスク３は第１のディスクプレーヤの所定位置に移動させられる。
【００２１】
同様に第２のトラバースユニット７２についてもトラバースユニット駆動装置７４によってロータリストッカトレイ２への挿入載置、ロータリストッカトレイ２からの取り出しも同様に行われる。
【００２２】
ロータリストッカトレイ２には図２乃至図４に示すように、ロータリストッカトレイ２の裏面側の予め定め半径上に位置し、かつディスク３が載置される位置に対応して突起Ａが形成してあり、さらにロータリストッカトレイ２の裏面側であって突起Ａが設けられている半径より外周側の予め定めた半径上に位置するように突超Ｂが形成してある。突起Ｂは突起Ａの２０個間隔毎に形成してあり、さらに図４（ｂ）に示すように突起Ａの２０個間隔毎に突起数が十１されて、互いに識別可能に形成されている。
【００２３】
例えばロータリストッカトレイ２上に２００枚のディスク３が載置可能に構成されているときは、突起Ａの数は２００個あり、突起Ｂ０（突起数１個）、突起Ｂ０を挾んでその左側（反時計方向側位置）に突起Ｂ１（突起数２個）、突起Ｂ０を挟んでその右側（時計方向側位置）に突起Ｂ９（突起数９個）、突起Ｂ１のの右側に突起Ｂ２（突起数３個）、突起９の左側に突起Ｂ８（突起数８個）、……、のように形成されている。ここで、突起Ｂの語は突超Ｂ０、……、Ｂ９のそれぞれ、またば総称としても使用する。
【００２４】
したがって、突起Ｂ０と突起Ｂ１との間には２０個の突起Ａが形成されてディスク３が載置されるアドレス番号として突起Ｂ０側から突起Ｂ１側ヘアドレス番号１〜２０の番号が付番され、突超Ｂ１と突起Ｂ２との間には２０個の突起Ａが形成されてディスク３が載置されるアドレス番号として突起Ｂ１側から突起Ｂ２側ヘアドレス番号２１〜４０の番号が付番され、…、突起Ｂ９と突起Ｂ０との間には２０個の突起Ａが形成されてディスク３が載置されるアドレス番号として突起Ｂ９側から突起Ｂ０側へアドレス番号１８１〜２００の番号が付番されることになって、ロータリストッカトレイ２上のディスク３が載置される位置にアドレス番号１〜２００が１対１に対応して割り付けられることになる。
【００２５】
さらに、ロータリストッカトレイ２上からディスク３のサイズ以上離れ、かつ第１のトラバースユニット７１の軸線に対して時計方向に４５°の角度をなす位置にロータリストッカトレイ２の半径方向にセンサ支持板８が設けてある。センサ支持板８には、ロータリストッカトレイ２上に載置されたディスク３によって遮光される位置に発光ダイオード８Ｃが設けてある。
【００２６】
また、図２およぴ図３（ａ）に示すように、基板１上にセンサ支持板８の軸線に対向する位置であって、かつロータリストッカトレイ２の半怪方向に突起Ａによって遮光される第１ホトカプラ８Ａと、突起Ｂによって遮光される第２ホトカプラ８Ｂと、発光ダイオード８Ｃに対向する位置にホトトランジスタ８ｃとが設けてあって、発光ダイオード８Ｃと対向するホトトランジスタ８ｃとは第３ホトカプラを構成している。なお、第２のトラバースユニット７２はその軸線が第１のトラバースユニット７１の軸線に対して反時計方向に９０°の角度をなす位置に設けてあって、本発明の実施の一形態にかかるディスク装置では第２のトラバースユニット７２の先端に対向するロータリストッカトレイ２の位置を第２の基準位置とする。
【００２７】
そこで、ロータリストッカトレイ２の回動駆動により、第１ホトカプラ８Ａによって突起Ａが検出され、第２ホトカプラ８Ｂによって突起Ｂが検出されて、第１および第２ホトカプラ８Ａおよび８Ｂの出力の協働によって各アドレス番号が検出される。また、ディスク３が載置されているときは、発光ダイオード８Ｃの光は遮られて第３ホトカプラによってディスク３の載置が検出される。例えばロータリストッカトレイ２の時計方向への回動駆動によって突起Ｂ２が検出されたときから計数された突起Ａの数α（正の正数）によって、アドレス番号（４０＋α）が検出され、突起Ａの数αが計数されるときに第３ホトカプラの出力が遮断されれば、アドレス番号（４０＋α）にディスク３が載置されていることになる。
【００２８】
したがって、ディスク３が載置される位置のアドレス番号が割り付けられ、ロータリストッカトレイ２を時計方向に１回転させることによって、割リ付けられたアドレス番号の位置にディスク３が載置されているか否かがチェックされることになって、ディスク３が載置されているアドレス番号が判ることになる。
【００２９】
なお、ロータリストッカトレイ２上に２００枚のディスク３が載置可能に構成されているため、突起Ａの数は２００個あり、隣合う突起Ａ間のなす角度は１．８°であって、突起Ａも１．８°ごとに設けられている。突起Ｂは３６°ごとに設けられている。そこで、ロータリストッカトレイ２を時計方向または反時計方向に少なくとも約４０°回動させることによって突起Ｂ中の１つが倹出され、検出された１つの突起Ｂからの突起Ａの数を計数することによってアドレス番号が求められて、ロータリストッカトレイ２の現在位置が判ることににる。
【００３０】
すなわち、ロータリストッカトレイ２の現在位置は、センサ支持板８に対して第１のトラバースユニット７１の軸線が４５°の角度をなすように設けられているために、第１の基準位置を求めるためにセンサ支持板８の位置に対応する位置のアドレス番号にアドレス数〃２５〃を加算することによって得られ、さらに、第２のトラバースユニット７２の軸線は第１のトラバースユニット７１の軸線に対して反時計方向９０°の位置にあるため、第２のトラバースユニット７２の先端に対向する第２の基準位置に対応するアドレス番号は現在の第１の基準アドレス番号にアドレス番号〃５０〃を加算することによって得られる。以後、ロータリストッカトレイ２の回転駆動毎に回転にしたがって計数した突超Ａの計数値によって現在位置を更新することができる。
【００３１】
本発明の実施の一形態にかかるディスク装置においては、第１および第２のディスクプレーヤに対する演奏指示、演奏のためのディスク指示のため等の複数のキースイッチ１０、ＴＯＣ情報またはＴＥＸＴデータに基づく表示をする表示器１１、メインコンピュータ１３およびサブコンピュータ１４を備えている。
【００３２】
なお、図５はキースイッチ１０および表示器１１の具体例である。表示器１１はメイン表示部２１およびサブ表示部２２を備え、キースイッチ１０はメイン再生キースイッチ２３、サブ再生キースイッチ２４、メイン停止キースイッチ２５、サブ停止キースイッチ２６、メインアップキースイッチ２７、サブアップキースイッチ２８、メインダウンキースイッチ２９、サブダウンキースイッチ３０、連続再生キースイッチ３１を備えている。
【００３３】
メインコンピュータ１３はロータリストッカトレイモータ駆動回路１２を介してロータリストッカトレイモータ４の回転を制御してロータリストッカトレイ２の回転駆動制御を行い、トラバースユニット駆動回路７３、７４を介してトラバースユニット７１、７２を制御してロータリストッカトレイ２からディスク３を取り出して第１、第２のディスクプレーヤヘの移送および装着制御を行い、トラバースユニット駆動回路７３、７４を介してトラバースユニット７１、７２をそれぞれ制御して第１、第２のディスクプレーヤからディスク３を取り出してロータリストッカトレイ２への挿入、載置制御を行い、キースイッチ１０の出力の読み込みを行い、かつ表示器１１の表示制御および第１のディスクプレーヤの再生制御を行う。表示器１１は、演奏中または演奏しようとするのディスクのＴＥＸＴデータを含むＴＯＣ情報等の表示をメイン表示部２１にて行い、他のディスクのＴＥＸＴデータを含むＴＯＣ情報を表示をサブ表示部２２にて行う。
【００３４】
メインコンピュータ１３は第１および第２のディスクプレーヤの再生状況と第１および第２のディスクプレーヤから読み出したＴＥＸＴデータを含むＴＯＣ情報との管理を行うと共に、ＲＡＭ１３１を備えて、メインコンピュータ１３と協働してＲＡＭ１３１にてロータリストッカトレイ２のアドレス番号による現在位置の記憶、各アドレス番号位置におけるディスク３の有無の記憶、該ディスクのＴＥＸＴデータの読み込み済みか否かのフラグ情報の記憶および該ディスクのＴＥＸＴデータを含むＴＯＣ情報の記憶制御を行う。サブコンピュータ１４はメインコンピュータ１３の制御のもとに、第２のディスクプレーヤの再生を制御し、メインコンピュータ１３へＴＥＸＴデータを含むＴＯＣ情報を送出する。
【００３５】
ＲＡＭ１３１における記憶は、電源投入時、またはドアのオープン／クローズ時（ディスクをロータリストッカトレイ２から取り出したとき、または挿入載置したとき）にメインコンピュータ１３の制御のもとにロータリストッカトレイ２を回転駆動することによって初期設定としてなされる。したがって、電源投入されたときにロータリストッカトレイ２の現在位置、割り当てられたアドレス番号の位置にディスク３が存在するか否か、該ディスクのＴＥＸＴデータは既に読み込まれているか否かが等が前記ＲＡＭの記憶内容を参照することによって判る。
【００３６】
次に、本発明の実施の一形態にかかるディスク装置の作用を図６〜図７および図８〜図９に示すフローチャートに基づいて説明する。図６〜図７は通常の連続演奏の場合に対するフローチャートであり、図８〜図９はプログラム演奏の場合に対するフローチャートである。
【００３７】
図６〜図７示す場合、すなわち通常連続演奏の場合を例に説明する。本発明の実施の一形態にかかるディスク装置の動作が開始されると、キースイッチ１０によって連続再生指示されるのを特って（ステップＳ１）、連続再生指示されると指示されたディスクを演奏するべく第１の基準アドレス番号位置に指示されたディスク３が対向するようにロータリストッカトレイ２が回転駆動され、第１の基準アドレス番号に対向する位置からディスク３がトラバースユニット７１によってディスクストッカトレイ２から取リ出されて、取り出されたディスク３は第１のディスクプレーヤに装着されて、第１のディスクプレーヤによって演奏される（ステップＳ２、ステップＳ３）。図５および図６において演奏に代わって再生とも記してある。
【００３８】
ディスク３の演奏中に該ディスク３のＴＥＸＴデータを含むＴＯＣ情報に基づいてメイン表示部２１にはディスクナンバー、トラックナンバー等が表示される（ステップＳ４）。第１のプレーヤでディスク３が演奏中に次に演奏する他のディスクがロータリストッカトレイ２が回転駆動され、トラバースユニット７２によってディスクストッカトレイ２から取リ出されて、取り出された他のディスクは第２のディスクプレーヤに装着されて、第２のディスクプレーヤによってＴＥＸＴデータを含むＴＯＣ情報がサブ表示部２２に表示される（ステップＳ５）。次に演奏されるディスクを含む全てのディスクをＴＥＸＴデータを含むＴＯＣ情報を予めＲＡＭ１３１に記憶しておき、次に演奏されるディスクのＴＥＸＴデータを含むＴＯＣ情報をサブ表示部２２に表示しても良い。連続再生ディスクの変更するためのキー入力の有無をチェックされる（ステップＳ６）。
【００３９】
ステップＳ６におけるチェックの結果、キー入力がないと判別されたときは第１のディスクプレーヤで現在再生中のディスクのトラックの終了の有無をチェックする（ステップＳ７）。ステップＳ７でのチェックで現在再生中のトラックが終了していると判断されたら、そのトラックが最大トラックの再生終了かをチェックされる（ステップＳ８）。ステップＳ８の処理は、次に再生するディスクが現在再生中のディスクと同じ場合は、ステップＳ９に進み、現在再生中のディスクと異なる場合はステップＳ１０に進む。最大トラックでなければ次のトラックを再生し（ステップＳ９）再びステップＳ４から実行され、最大トラックであればディスク３をトラバースユニット７１によりロータリストッカトレイ２の元の取り出された所定の位置に収納する（ステップＳ１０）。
【００４０】
次に連続する全てのディスクが再生されたかをチェックされる（ステップＳ１１）。全てのディスクが再生されていなければ、次に再生されるディスクをトラバースユニット７１でロータリストッカ２より取り出され、第１のディスクプレーヤに載置されて再生される（ステップＳ１２）。再びステップＳ４から実行される。ステップＳ９における次のトラックとは、サブ表示部２２に表示されているトラックであり、ステップＳ２０、Ｓ２３で変更された場合も含まれる。また、ステップＳ１２における次のディスクについてもディスクキーで変更されたディスクである場合もあり、また、ステップＳ３における最初のトラックはサブ表示されているディスクのトラックの場合もある。
【００４１】
ステップＳ６において連続演奏の変更がキー入力されたとき、第１のディスクプレーヤで現在再生されているディスク３のトラックの、次のトラック再生要求であるメインアップキーであるかチェックされる（ステップＳ１３）。次のトラック再生要求であれば、現在再生中のディスク３のトラックが最大トラック再生中かのチェックをし（ステップＳ１４）、最大トラックであればステップ１０から再び実行し、最大トラックでなければ次のトラックを再生し（ステップＳ１５）、再びステップＳ４から実行する。
【００４２】
ステップＳ１３においてメインアップキー入力でなければ、第１のディスクプレーヤで現在再生されているディスク３であり、現在再生中のディスク３のトラックの前のトラック再生要求であるメインダウンキー入力であるかのチェックをする（ステップＳ１６）。ステップＳ１６で現在再生されているディスク３のトラックの前のトラック再生要求であれば、そのトラックが最小トラックであるかチェックされ（ステップＳ１７）、ステップＳ１７で最小トラックであると判定されたら最小トラックの頭から再生し（ステップＳ１９）、再びステップＳ４から実行する。ステップＳ１７で最小トラックでないと判定されたら、１つ前のトラックを再生し（ステップＳ１８）、再びステップＳ４から実行する。
【００４３】
ステップＳ１６においてメインダウンキー入力でなければ、次の再生予定のディスクであり、このディスクのトラックが次の再生要求であるサブアップキー入力であるかのチェックをする（ステップＳ２０）。ステップＳ２０で次の再生予定のディスクのトラックの再生要求であれば、サブ表示されているトラックの次のトラックが、現在再生されているディスク３のトラックの次の再生するトラックとなり（ステップＳ２１）、再びステップＳ５から実行する。ステップＳ２０でサブアップキー入力でないと判定されたら、次の再生予定のディスクであり、このディスクのトラックの１つ前のトラック再生要求であるサブダウンキー入力であるかのチェックをする（ステップＳ２３）。
【００４４】
サブダウンキー入力であると判定されたら、サブ表示されているトラックの１つ前のトラックが、現在再生されているディスク３のトラックの次に再生するトラックとなり（ステップＳ２４）、再びステップＳ５から実行する。ステップＳ２３でサブダウンキー入力でないと判定されたら、次に入力されたキーがストップキーであるかチェックされる（ステップＳ２５）。ストップキー入力であれば終了とし、他のキーであれば再びステップＳ６から実行する。このステップＳ２０、Ｓ２３の操作により次に再生されるとラックが変更される。このとき、ディスクキーで次に再生するディスクを変えてもよい。
【００４５】
次に、プログラム再生が指示された場合について図８〜図９に基づいて説明する。ランダム再生の場合も同様である。ここではプログラム再生の場合について説明する。
【００４６】
キースイッチ１０によってプログラム再生指示されるのを待って（ステップＳ３１）、プログラム再生指示されるとプログラムされた最初のディスクが第１の基準アドレス番号に対向する位置にくるようにロータリストッカトレイ２が回転駆動されて、プログラムされた最初のディスク３がトラバースユニット７１によってディスクストッカトレイ２から取り出されて、取り出されたディスク３は第１のディスクプレーヤに装着されて、第１のディスクプレーヤによって再生される（ステップＳ３２）。
【００４７】
第１のディスクプレーヤによりディスク３のＴＥＸＴデータを含むＴＯＣ情報が再生されメイン表示に表示される（ステップＳ３３）。さらにディスク３は第１のディスクプレーヤにより最初のプログラムのトラックが演奏される（ステップＳ３４）。メイン表示には第１のディスクプレーヤに装着されて、現在再生されているディスク３、トラックナンバーを表示する（ステップＳ３５）。サブ表示には次にプログラム再生するディスク、トラックナンバーを表示する（ステップＳ３６）。
【００４８】
次にキー入力の有無をチェックされる（ステップＳ３７）。ステップＳ３７におけるチェックの結果、キー入力がないと判別されたときは第１のディスクプレーヤで現在再生中のディスクのトラックの終了の有無をチェックする（ステップＳ４１）。ステップＳ４１でのチェックで現在再生中のトラックが終了していると判断されたら、そのトラックが最大トラック（プログラム再生の場合は該ディスクの最後のプログラムの曲であり、ランダム再生の場合は該ディスクの最後に選ばれたトラックである）の再生終了かがチェックされる（ステップＳ４２）。最大トラックでなければ次のプログラムのトラックを再生し（ステップＳ４４）、再びステップＳ３５から実行され、最大トラックであればディスク３をトラバースユニット７１によりロータリストッカトレイ２の元の取り出された所定の位置に収納する（ステップＳ４３）。
【００４９】
次にプログラム再生する全てのディスクが再生されたか否かがチェックされる（ステップＳ４５）。プログラムされた全てのディスクが再生されていなければ、次に再生されるディスクがトラバースユニット７１でロータリストッカ２より取り出され、第１のディスクプレーヤに載置されて再生され（ステップＳ４６）、再びステップＳ３３から実行される。
【００５０】
ステップＳ３７におけるチェックによって、キー入力が有と判別されたときは、プログラム再生ディスクの変更、追加するためのキー入力であって所望のディスクを検索するディスクキーであるかチェックされる（ステップＳ３８）。ステップ３８で、プログラムの追加、変更指示があると判別されたときは、検索されたディスクのＴＯＣ、ＴＥＸＴデータがすでにＲＡＭ１３１に記憶されているかチェックする（ステップＳ３９）。検索したディスクのＴＯＣ、ＴＥＸＴデータがすでにＲＡＭ１３１に記憶されているのであれば、サブ表示に検索されたディスクのＴＯＣ、ＴＥＸＴデータを表示する（ステップＳ４０）。
【００５１】
サブ表示に表示されたディスクを次に再生するディスクとして変更、追加するかチェックする（ステップＳ５０）。検索したディスクを次に予定のプログラム演奏ディスクに対して変更、追加するのであれば、サブアップキースイッチ、サブダウンキースイッチの操作で演奏トラックを指定して変更または追加を行いプログラム演奏の順序をＲＡＭ１３１に記憶し、サブ表示部２２に次に再生するディスク、トラックナンバーを表示して（ステップＳ５１）、再びステップＳ３７を実行する。ステップＳ５０では検索したディスクを次に予定のプログラム演奏ディスクに対して変更、追加しないのであれば再びステップＳ３７を実行する。
【００５２】
ステップＳ３８において、プログラム再生ディスクの変更、追加するためのキー入力であって所望のディスクを検索するディスクキーでないとされたとき、次にストップキーであるかチェックし（ステップＳ５２）、ストップキーでなければ再びステップＳ３５を実行する。ストップキーで有れば終了する。
【００５３】
ステップＳ３９において検索されたディスクのＴＯＣ、ＴＥＸＴデータがＲＡＭ１３１に記憶がなければ、検索されたディスクをロータリストッカトレイ２よりトラバースユニット７２で取り出し、現在再生中でない第２のディスクプレーヤで再生する（ステップＳ４７）。ステップＳ４７で、再生した検索ディスクのＴＯＣ、ＴＥＸＴデータを読み込み（ステップＳ４８）、読み込んだＴＯＣ、ＴＥＸＴデータをＲＡＭ１３１に記憶する（ステップＳ４９）。次に、再びステップＳ４０を実行する。
【００５４】
以上のようにして、本発明の実施の一形態にかかるディスク装置において、ディスク３を演奏させながら、ロータリストッカトレイ２に載置されているディスク３が他方のディスクプレーヤに装着されて、該他方のディスクプレーヤよってＴＥＸＴデータを含むＴＯＣ情報が読み込まれていくので、ＴＥＸＴデータを含むＴＯＣ情報が読み込まれているときにおいても連続演奏を中断することなく次に演奏予定のディスクの変更ができる。また、予め全てのディスクのＴＯＣ、ＴＥＸＴデータを記憶することで、同様に連続演奏を中断することなく次に演奏予定のディスクの変更ができる。プログラム演奏またはランダム演奏のときも同様である。
【００５５】
【発明の効果】
以上説明したように本発明にかかるディスク装置によれば、ディスクの連続演奏中に、演奏中でない他方のディスクのＴＥＸＴデータを含むＴＯＣ情報を基に次の曲を選択でき、また、プログラム演奏またはランダム演奏途中にも、曲の変更、追加ができるという効果が得られる。
【図面の簡単な説明】
【図１】本発明の実施の一形態にかかるディスク装置の主要部の構成を示すブロック図である。
【図２】本発明の実施の一形態にかかるディスク装置におけるディスクチェンジャのディスクおよびホトカプラの配置の説明に供する模式図ある。
【図３】本発明の実施の一形態にかかるディスク装置におけるロータリストッカトレイの突起およびホトカプラの配置の説明に供する模式図である。
【図４】本発明の実施の一形態にかかるディスク装置におけるロータリストッカトレイの突起の説明に供する模式図である。
【図５】本発明の実施の一形態にかかるディスク装置のキースイッチおよび表示器の具体的例の表面図である。
【図６】本発明の実施の一形態にかかるディスク装置の作用の説明に供するフローチャートである。
【図７】本発明の実施の一形態にかかるディスク装置の作用の説明に供するフローチャートである。
【図８】本発明の実施の一形態にかかるデイスク装置によるプログラム演奏の場合の作用の説明に供するフローチャートである。
【図９】本発明の実施の一形態にかかるデイスク装置によるプログラム演奏の場合の作用の説明に供するフローチャートである。
【符号の説明】
１  基板
２  ロータリストッカトレイ
３  ディスク
４  ロータリストッカトレイモータ
５  動力伝達機構
６  センサ支持板
８Ａおよび８Ｂ  第１およぴ第２ホトカプラ
８Ｃ  発光ダイオード
８ｃ  ホトトランジスタ
１０  キースイッチ
１１  表示器
１３  メインコンピュータ
１４  サブコンピュータ
７１および７２  第１および第２のトラバースユニット
１３１  ＲＡＭ
Ａ、Ｂ、Ｂ０、Ｂ１、……、Ｂ９  突起
【図１】
0003559833.tif 000002
【図２】
0003559833.tif 000003
【図３】
0003559833.tif 000004
【図４】
0003559833.tif 000005
【図５】
0003559833.tif 000006
【図６】
0003559833.tif 000007
【図７】
0003559833.tif 000008
【図８】
0003559833.tif 000009
【図９】
0003559833.tif 000010